(57)【要約】【課題】従来の無線基地局監視システムでは、デバイス不良の早期発見ができず、対処が遅れてしまうという問題点があり、デバイス不良を早期に発見し、信頼性を向上させることができる無線基地局監視システムを提供する。【解決手段】無線基地局装置１′が、定期的にデバイスのチェックを行い、診断結果にＩＤを付してオペレーションセンタ４に送信し、オペレーションセンタ４が予め当該ＩＤの無線基地局装置１′に対応して記憶されているＭＴ２′に、無線基地局装置１′のＩＤとリセット信号出力の指示を送信し、ＭＴ２′でリセット信号出力の指示を受信すると表示又は音声で報知し、入力部２４からリセット指示が入力されると、当該無線基地局装置１′に近距離無線通信でリセット信号を送信し、無線基地局装置１′がリセット信号を受信してリセットする無線基地局監視システムである。【選択図】　　　　図４
2004088236.tif 000002
【特許請求の範囲】
【請求項１】
移動通信網における無線基地局と、前記無線基地局とネットワークを介して接続されるオペレーションセンタと、前記無線基地局の保守を行うメンテナンスツールとを備えた無線基地局監視システムであって、
前記無線基地局が、前記メンテナンスツールとの無線通信を行う近距離無線通信手段を備え、定期的にデバイスの診断を行って前記診断の診断結果にＩＤを付してネットワークを介してオペレーションセンタに送信すると共に、前記メンテナンスツールから近距離無線通信によって送信されるリセット信号を受信してリセットする無線基地局であり、
前記オペレーションセンタが、予め各無線基地局と前記無線基地局の保守を行うメンテナンスツールとを対応付けて記憶しておき、任意の無線基地局から診断結果を受信すると、前記受信した診断結果をＩＤ毎に記憶し、前記診断結果が「異常」であった場合には、前記無線基地局に対応するメンテナンスツールに前記基地局のＩＤとリセット信号の出力指示とを送信するオペレーションセンタであり、
前記メンテナンスツールが、近距離無線通信手段を備え、前記オペレーションセンタからＩＤとリセット信号の出力指示とを受信すると、前記ＩＤに対応する無線基地局に対して近距離無線通信を介してリセット信号を送信するメンテナンスツールであることを特徴とする無線基地局監視システム。
【請求項２】
メンテナンスツールが、表示部を備え、近距離無線通信を介してデバイスの診断を指示する自動診断要求を無線基地局に送信し、前記基地局から診断結果を受信すると、診断結果を記憶すると共に前記診断結果を前記表示部に表示し、前記診断結果が「異常」であった場合には、近距離無線通信を介して前記基地局にリセット信号を送信するメンテナンスツールであり、
無線基地局が、メンテナンスツールから前記自動診断要求を受信した場合にデバイスの診断を行い、診断結果を近距離無線通信を介して前記メンテナンスツールに送信すると共に、前記メンテナンスツールから送信されたリセット信号を受信してリセットする無線基地局であることを特徴とする請求項１記載の無線基地局監視システム。
【発明の詳細な説明】
【０００１】
【発明の属する技術分野】
本発明は、移動通信システムの無線基地局装置（ＴＸ‐ＡＭＰカード）に係り、特にデバイス不良の早期発見ができ、安全且つ容易にメンテナンスを行うことができる無線基地局監視システムに関する。
【０００２】
【従来の技術】
移動通信システムにおいては、移動局と無線通信を行う複数の無線基地局装置がエリア毎に設けられている。
ここで、従来の無線基地局装置の保守管理を行う無線基地局監視システムについて図７を用いて説明する。図７は、従来の無線基地局監視システムの構成ブロック図である。
図７に示すように、従来の無線基地局監視システムは、エリア毎に設けられ、移動局と無線通信を行う無線基地局装置１″と、複数の無線基地局装置１″と有線回線で接続して、無線基地局装置１″の状態監視やリセット等の遠隔制御を行う保守監視局３と、無線基地局装置１″に有線で接続し、リセット等のメンテナンスを行うメンテナンスツール（ＭＴ）２″とから構成されている。
【０００３】
そして、上記従来の無線基地局監視システムにおいては、無線基地局装置１″に異常が発生すると、無線基地局装置１″が保守監視局３に対してアラームを送信し、保守監視局３が、アラームの送信元の無線基地局装置１″に制御信号（リセット信号）を出力して遠隔制御により無線基地局装置１″をリセットさせるようになっていた。
【０００４】
しかし、保守監視局３と無線基地局装置１″とを接続する中継装置（図示せず）の故障や、有線回線の異常や、保守監視局３からの遠隔制御が不能になるような無線基地局装置１″側のソフトウェア上の障害等が生じたときには、保守監視局３からの当該無線基地局装置１″に対する状態監視やリセット等の遠隔制御ができなくなってしまう。
【０００５】
このような場合には、保守作業員が、遠隔制御が不能になった無線基地局装置１″の設置場所に出向き、該無線基地局装置１″にＭＴ２″をＲＳ−２３２ＣやＥｔｈｅｒｎｅｔ（Ｒ）等の有線回線で繋ぎ、ＭＴ２″で当該無線基地局装置１″に発生している障害の原因を調査し、リセットを行うようにしている。
【０００６】
尚、通信システムにおける保守管理に関する従来技術としては、平成１２年５月３０日公開の特開２０００−１５１４８９「中継増幅装置」（出願人：国電気株式会社、発明者：松宮聡他）がある。
この従来技術は、親局装置と子局装置とから成る中継増幅装置で、親局装置と子局装置とが通常の動作状態にあるときに、親局装置の制御部より子局装置の制御部の動作プログラムを変更可能としたものであり、作業者が子局装置の場所に足を運ぶことなく子局装置の動作プログラム変更を効率的に行えるものである。
【０００７】
【発明が解決しようとする課題】
しかしながら、上記従来の無線基地局監視システムでは、無線基地局装置の設置台数が膨大な数であり、更に各無線基地局装置が電柱やビルの屋上等の高所に設置されているので、保守作業員が出向いてメンテナンスツールを接続してリセット作業を行うのは煩雑で長時間を要する上、作業に危険を伴うという問題点があった。
【０００８】
また、従来の無線基地局監視システムでは、通常運用中にエラーが発生した場合に初めてデバイス不良を認識して異常を通知していたため、デバイス不良の早期発見ができず、対処が遅れてしまうという問題点があった。
【０００９】
本発明は上記実情に鑑みて為されたもので、安全且つ容易に、短時間で無線基地局装置のメンテナンスを行うことができ、利便性を向上させることができると共に、デバイス不良を早期に発見し、信頼性を向上させることができる無線基地局監視システムを提供することを目的とする。
【００１０】
【課題を解決するための手段】
上記従来例の問題点を解決するための本発明は、移動通信網における無線基地局と、無線基地局とネットワークを介して接続されるオペレーションセンタと、無線基地局の保守を行うメンテナンスツールとを備えた無線基地局監視システムであって、無線基地局が、メンテナンスツールとの無線通信を行う近距離無線通信手段を備え、定期的にデバイスの診断を行って前記診断の診断結果にＩＤを付してネットワークを介してオペレーションセンタに送信すると共に、メンテナンスツールから近距離無線通信によって送信されるリセット信号を受信してリセットする無線基地局であり、オペレーションセンタが、予め各無線基地局と前記無線基地局の保守を行うメンテナンスツールとを対応付けて記憶しておき、任意の無線基地局から診断結果を受信すると、受信した診断結果をＩＤ毎に記憶し、診断結果が「異常」であった場合には、無線基地局に対応するメンテナンスツールに基地局のＩＤとリセット信号の出力指示とを送信するオペレーションセンタであり、メンテナンスツールが、近距離無線通信手段を備え、オペレーションセンタからＩＤとリセット信号の出力指示とを受信すると、ＩＤに対応する無線基地局に対して近距離無線通信を介してリセット信号を送信するメンテナンスツールである無線基地局監視システムとしており、保守監視局からの遠隔制御が受けられない場合でも、デバイス不良を早期に発見して、迅速に対応して障害復帰を図ることができ、システムの信頼性を向上させることができる。
【００１１】
また、本発明によれば、メンテナンスツールが、表示部を備え、近距離無線通信を介してデバイスの診断を指示する自動診断要求を無線基地局に送信し、基地局から診断結果を受信すると、診断結果を記憶すると共に診断結果を表示部に表示し、診断結果が「異常」であった場合には、近距離無線通信を介して基地局にリセット信号を送信するメンテナンスツールであり、無線基地局が、メンテナンスツールから自動診断要求を受信した場合にデバイスの診断を行い、診断結果を近距離無線通信を介してメンテナンスツールに送信すると共に、メンテナンスツールから送信されたリセット信号を受信してリセットする無線基地局である無線基地局監視システムとしており、保守監視局からの遠隔制御が受けられない場合に、保守作業員が高所に登らなくても、安全且つ容易に、短時間で無線基地局装置のメンテナンスを行って利便性を向上させることができ、また、強制的にデバイスチェックを行わせてシステムの信頼性を向上させることができる。
【００１２】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１３】
本発明に係る無線基地局監視システムは、無線基地局装置にメンテナンスツール（ＭＴ）と近距離無線通信を行う機能を設け、メンテナンスツールから自動診断要求を受信すると、デバイスのチェックを行って、診断結果をメンテナンスツールに送信して、メンテナンスツールにて結果を表示し、異常であれば無線基地局装置にリセット等のメンテナンスを指示するメンテナンス信号を送信するものであり、保守監視局からの制御ができない場合でも、保守作業員が高所に上がって無線基地局装置とメンテナンスツールとを有線で接続しなくても、無線基地局装置の状態をメンテナンスツールで把握して、異常の原因を取得したり、メンテナンスの遠隔操作を行うことができ、安全且つ容易に、無線基地局装置のメンテナンスを行うことができるものである。
【００１４】
また、本発明に係る無線基地局監視システムは、無線基地局装置が予め設定された間隔で定期的に自動診断を行って、診断結果をＩＤを付してネットワークで接続されたオペレーションセンタに通知し、診断結果が「異常」であった場合には、オペレーションセンタがメンテナンスツールにリセット信号の出力指示を送信し、保守作業員がメンテナンスツールを持って無線通信可能な範囲まで出向き、メンテナンスツールから障害の原因を取得したり、リセット信号を送信するものであり、デバイス不良を早期に発見し、異常に対して迅速に対処可能となり、短時間の障害復帰を図り、移動通信システムの信頼性を向上させることができるものである。
【００１５】
本発明の実施の形態に係る無線基地局監視システムの構成について図１を用いて説明する。図１は、本発明の第１の実施の形態に係る無線基地局監視システム（第１のシステム）の構成ブロック図である。
図１に示すように、第１のシステムは、移動通信システムの基地局である複数の無線基地局装置１と、無線基地局装置１の状態監視及びリセット等のメンテナンスを行うメンテナンスツール（ＭＴ）２と、複数の無線基地局装置１と有線で接続され、各無線基地局装置１の状態監視やリセット等のメンテナンスを行う保守監視局３とから構成されている。
第１のシステムの特徴として、無線基地局装置１とメンテナンスツール２とは近距離無線通信を介して直接通信を行うようになっている。
【００１６】
更に、無線基地局装置１は、移動通信システムの移動局との無線通信を行う呼処理制御部１１と、保守監視局３や上位の制御局との通信を行う有線通信制御部１２と、装置全体の制御を行う制御部１３と、ＭＴ２との近距離無線通信を行う近距離無線通信部１４とを備えている。また、制御部１３には、装置内のデバイスの動作チェックを行って正常／異常を診断する監視手段が設けられている。
【００１７】
第１のシステムの特徴部分について説明すると、制御部１３に設けられた監視手段は、ＭＴ２からの自動診断要求を受信した場合に、装置内に設置されているＲＡＭ（Ｒａｎｄｏｍ　Ａｃｃｅｓｓ　Ｍｅｍｏｒｙ）、ＲＯＭ（Ｒｅａｄ　Ｏｎｌｙ　Ｍｅｍｏｒｙ）、ＦＲＯＭ（Ｆｌａｓｈ　ＲＯＭ）、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　ＲＯＭ）、ＤＳＰ（Ｄｉｇｉｔａｌ　Ｓｉｇｎａｌ　Ｐｒｏｃｅｓｓｏｒ）等のデバイスの動作チェック（診断）を行って、その結果を近距離無線通信部１４を介してＭＴ２に出力するものである。具体的には、監視手段は、予め記憶された「自動診断タスク」のプログラムであり、制御部１３は、自動診断要求が入力された場合に、自動診断タスクのプログラムを起動してデバイスのチェックを行うようになっている。
【００１８】
また、近距離無線通信部１４は、近距離で直接無線信号の送受信を行う手段（近距離無線通信手段）であり、具体的には、赤外線インタフェース（ＩｒＤＡ）や周波数ホッピングを利用した無線通信や無線ＬＡＮが考えられ、１０ｍ程度の直接無線通信が可能となっている。
【００１９】
ＭＴ２は、無線基地局装置１の近距離無線通信部１４との近距離無線通信を行う手段を備え、無線基地局装置１からの診断結果を受信して表示し、また、その診断結果に応じてリセット信号等のメンテナンス信号を送信する装置であり、具体的には持ち運び可能な専用装置やパーソナルコンピュータ等が考えられる。
【００２０】
ここで、メンテナンスツール２の構成について図２を用いて説明する。図２は、メンテナンスツール（ＭＴ）２の構成ブロック図である。
図２に示すように、メンテナンスツール２は、装置全体の制御を行う制御部２０と、無線基地局装置１との近距離無線通信を行う近距離無線通信部２１と、制御部２０における処理プログラムや無線基地局装置１から送信されたアラームログを記憶する記憶部２２と、無線基地局装置１から送信された診断結果を表示する表示部２３と、各種設定の入力やリセットの指示の入力を行う入力部２４と、インターネット等のネットワークに有線又は無線で接続可能な通信部２５とを備えている。
【００２１】
近距離無線通信部２１は、無線基地局装置１の近距離無線通信部１４との近距離直接通信を行うものであり、赤外線インタフェース（ＩｒＤＡ）や周波数ホッピングを利用した無線通信（Ｂｌｕｅｔｏｏｔｈ（Ｒ）等）や、無線ＬＡＮのいずれか又は全てのインタフェースを備えているものである。
【００２２】
次に、第１のシステムの無線基地局装置１の動作について図３を用いて説明する。図３は、第１のシステムの無線基地局装置１の制御部１３の動作を示すフローチャート図である。
図３に示すように、無線基地局装置１の制御部１３は、近距離無線通信部１４から、ＭＴ２から受信した自動診断要求が入力されたかどうかを判断し（１００）、自動診断要求が入力された場合には自動診断タスク（監視手段）を起動する（１０２）。
【００２３】
そして、監視手段が装置内の各種デバイスをチェックして（１０４）、正常（ＯＫ）であれば、近距離無線通信部１４を介してＭＴ２に「正常」のデータを送信し（１０６）、自動診断タスクを終了して処理を終わる。
【００２４】
また、処理１０４で、デバイスチェックの結果、いずれかのデバイスに異常が見つかった場合（ＮＧ）には、アラーム処理として、ＭＴ２に「異常」と異常原因を示すデータ（不良デバイスを特定するデータ）を送信し、記憶部（図示せず）に診断日時と不良デバイスを特定するデータを含むアラームログを記憶し（１０８）、処理を終わる。このようにして第１のシステムにおける無線基地局装置１の処理が行われるものである。
【００２５】
そして、ＭＴ２が、無線基地局装置１から診断結果を受信すると、受信データを記憶すると共に、受信データに基づいて表示部に「正常」又は「異常」を表示し、「異常」の場合には、異常原因を示すデータも表示し、これらのデータに基づいて保守作業員が入力部２４からリセット指示を入力すると、近距離無線通信部２１から近距離無線通信を介して当該無線基地局装置１に対してリセット信号が送信される。
【００２６】
そして、無線基地局装置１は、近距離無線通信部１４でリセット信号を無線信号で受信すると、監視制御部１３が装置のリセットを実行する。
このようにして本発明の実施の形態に係る無線基地局装置１及びＭＴ２の動作が行われるものである。
【００２７】
本発明の実施の形態に係る無線基地局監視システムによれば、無線基地局装置１が、メンテナンスツール（ＭＴ）２との近距離直接無線通信を行う近距離無線通信部１４を備え、ＭＴ２から自動診断要求を受信すると、制御部１３が、自動診断タスクを起動してデバイスチェックを行い、診断結果をＭＴ２に送信すると共に、ＭＴ２から送信されたリセット信号を受信してリセットを行う無線基地局装置１としているので、無線基地局装置１と保守監視局３とを接続する有線回線に異常が発生した場合等、何らかの原因で保守監視局３からの遠隔制御が受けられない場合でも、保守作業員が高所に登ることなく、安全且つ容易に、短時間で無線基地局装置のメンテナンスを行うことができ、利便性を向上させることができる効果がある。
【００２８】
また、ここではメンテナンスの例としてＭＴからリセット信号を送信して無線基地局装置１がリセットする場合を例として説明したが、リセット信号に限らず、ＭＴ２から各種メンテナンス信号を送信し、無線基地局装置１が受信したメンテナンス信号に従って動作することが可能であり、各種メンテナンスを遠隔制御で行うことができる効果がある。
【００２９】
次に、本発明の第２の実施の形態に係る無線基地局監視システムについて説明する。
上述した第１の無線基地局監視システムでは、無線基地局装置が、メンテナンスツールからの自動診断要求に基づいて装置内のデバイスチェックを行って結果を報告するようにしていたが、本発明の実施の形態に係る無線基地局監視システムでは、特にメンテナンスツールからの要求がなくても、無線基地局装置が定期的に自動診断を行って、その結果を上位の監視局に送信するようにしたものである。
【００３０】
図４は、本発明の第２の実施の形態に係る無線基地局監視システム（第２のシステム）の構成ブロック図である。
図４に示すように、本システムは、上述した無線基地局監視システムとほぼ同様の構成であり、無線基地局装置１′と、メンテナンスツール２′と、保守監視局３と、ネットワークを介して複数の保守監視局３及び無線基地局装置１′及びメンテナンスツール２′に接続可能なオペレーションセンタ（ＯＰＣ）４とから構成されている。無線基地局装置１′とオペレーションセンタ４との接続は、ここでは無線通信としているが、有線回線を用いても構わない。また、ＭＴ２′は持ち運び可能なものであるため無線による接続が好ましいが、有線接続も可能としても構わない。
【００３１】
上記構成部分の内、無線基地局装置１′、ＭＴ２′、保守監視局３の構成は図１及び図２に示した第１のシステムにおける無線基地局装置１及びＭＴ２及び保守監視局３とほぼ同様であるため、図示は省略する。但し、無線基地局装置１′及びＭＴ２′における動作が第１のシステムとは一部異なっている。
【００３２】
上記構成部分の内、無線基地局装置１′は、第１のシステムの無線基地局装置１と同様に、メンテナンスツール２′からの自動診断要求を受信して、デバイスの自動診断を行うものである。また、第２のシステムの特徴として、無線基地局装置１′は、メンテナンスツール２′からの設定により定期的にデバイスの自動診断を行って、診断結果をネットワークを介してオペレーションセンタ４に送信するものである。
そして、無線基地局装置１′は、第１のシステムと同様に、ＭＴ２′と近距離無線通信を行って、ＭＴ２′からのリセット信号を受信すると、これに従ってリセットするものである。
【００３３】
また、オペレーションセンタ４は、無線基地局装置１′からの自動診断結果を受信して、無線基地局装置１′のＩＤに対応付けて診断結果を記録しておくものであり、各無線基地局装置１′の状態を一括して把握できるものである。
更に、オペレーションセンタ４は、予め各無線基地局装置１′とその無線基地局装置１′の保守を行うＭＴ２とを対応付けて記憶しているものである。無線基地局装置１′とＭＴ２′との対応付けは１対１である必要はなく、無線基地局装置１′にデバイス不良が発生した場合に当該無線基地局装置１′との近距離無線通信が可能な範囲内に移動可能なＭＴ２′を登録しておくのが好ましい。
【００３４】
そして、オペレーションセンタ４は、受信した診断結果が「異常」であった場合に、当該無線基地局装置１′に対応した特定のＭＴ２′に、異常が発生した無線基地局装置１′のＩＤと、リセット信号出力の指示とを送信するものである。
【００３５】
次に、第２のシステムのＭＴ２′における無線基地局装置１′の自動診断モードの設定について説明する。図５は、第２のシステムのＭＴ２′における無線基地局装置１′の自動診断モードの設定画面を示す説明図である。
まず、ＭＴ２′の入力部２４から「自動診断モード」のキーが押下されると、制御部２０は、表示部２３に図５（ａ）に示す画面を表示する。この画面で「１．実行」が選択されると、上述した例と同様に、無線基地局装置１′に対して自動診断要求が近距離無線通信部２１を介して送信されるものである。
【００３６】
図５（ａ）の画面で「２．設定」が選択されると、ＭＴ２の制御部２０は、表示部２３に図５（ｂ）に示す画面を表示する。そして、「１．設定」が選択されると、自動診断を定期的に行わせるための設定が可能になるものであり、入力部２４からの指示に従って、毎日、毎週（曜日指定）、毎月（日にち指定）の中から任意の間隔を選択して設定できるものである。また、自動診断を行う時刻も設定可能となっている。
図５（ｂ）の例では「毎日」自動診断を行うように設定されており、時刻を設定すれば、毎日決まった時刻に自動診断が行われるようになる。
【００３７】
そして、設定内容を送信する指示が入力されると、近距離無線通信部２１から無線基地局装置１′に対して設定内容が送信され、無線基地局装置１′の制御部１３が記憶部（図示せず）に設定内容を記憶すると共に、当該設定及び内部で管理している時刻に従って定期的に自動診断を行うようになっている。
また、図５の（ｂ）で、「２．解除」が選択されて送信された場合には、既に設定されている自動診断の設定をクリアするものである。
【００３８】
次に、第２のシステムの動作について図３、図４及び図６を用いて説明する。図６は、第２の無線基地局監視システムの無線基地局装置１′における定期的な自動診断処理を示すフローチャート図である。
本システムでは、無線基地局装置１′の制御部１３は、常時図３に示した処理を行っており、ＭＴ２′において図５（ａ）に示した自動診断モードの設定画面で、「１．実行」が選択された場合には、ＭＴ２′から無線基地局装置１′に自動診断要求が送信され、無線基地局装置１′でこれを受信して、制御部１３が、図３に示した自動診断処理を行う。
【００３９】
また、無線基地局装置１′の制御部１３は、図３に示した処理と共に、図６に示す定期的な自動診断の処理も行うようになっている。
図６に示すように、本システムの無線基地局装置１′の制御部１３は、ＭＴ２′から送信されて記憶部（図示せず）に記憶されている自動診断モードの設定及び現在時刻に基づいて、自動診断設定時刻か否かを判断し（２００）、設定時刻であれば、制御部１３は図３の処理と同様に、自動診断タスクを起動して（２０２）、各種デバイスのチェックを行い（２０４）、診断結果が出ると当該診断結果に現在日時及び自己のＩＤを付して、通信部２５から、ネットワークを介してオペレーションセンタ４に送信する（２０６）。診断結果が「異常」であった場合には制御部１３は、異常の原因（不良個所）を示すデータを付して送信する。すなわち、第２の無線基地局監視システムの無線基地局装置１′では、ＭＴ２′と通信を行っていない定期的な自動診断の場合には、オペレーションセンタ４に結果を報告するようにしているものである。
【００４０】
そして、オペレーションセンタ４が無線基地局装置１から診断結果を受信すると、ＩＤ毎に診断結果と日時とを記憶しておく。受信した診断結果が「異常」であった場合には、オペレーションセンタ４は、当該無線基地局装置１′に対応するＭＴ２′に対して、無線基地局装置１′のＩＤとリセット信号出力の指示を送信する。
【００４１】
そして、ＭＴ２がオペレーションセンタ４からの指示を受信すると、制御部２０が、表示やアラーム音や音声によりアラーム受信を報知し、保守作業員が、受信ＩＤで特定される無線基地局装置１′の近傍までＭＴ２′を持参して出向き、入力部２４からの入力でＩＤに対応する無線基地局装置１′に対してリセット信号を送信する。これにより、自動診断の診断結果が「異常」であった無線基地局装置１′のリセットが行われるものである。
【００４２】
本発明の第２の実施の形態に係る無線基地局監視システムによれば、無線基地局装置１′が、ＭＴ２′からの設定に従って定期的にデバイスのチェックを行い、診断結果にＩＤを付してネットワークを介してオペレーションセンタ４に送信し、オペレーションセンタ４が予め当該ＩＤの無線基地局装置１′に対応して記憶されているＭＴ２′に、無線基地局装置１′のＩＤとリセット信号出力の指示を送信し、ＭＴ２′でリセット信号出力の指示を受信すると表示又は音声で報知し、保守作業員によって当該無線基地局装置１′の近くまで運ばれ、入力部２４からリセット指示が入力されると、当該無線基地局装置１′に近距離無線通信でリセット信号を送信し、無線基地局装置１′がリセット信号を受信してリセットする無線基地局監視システムとしているので、保守監視局３からの遠隔制御が受けられない場合でも、デバイス不良を早期に発見して、安全且つ容易に、短時間で無線基地局装置のメンテナンスを行うことができ、移動通信システムの信頼性を向上させることができる効果がある。
【００４３】
また、第２のシステムでは、メンテナンスの例としてリセットを行う場合について説明したが、リセットに限らず、ＭＴ２′から他のメンテナンス信号を送信し、無線基地局装置１′が、受信したメンテナンス信号に従って動作するようにしてもよい。
【００４４】
更に、第２のシステムの技術をホームネットワークに応用した場合、各々の電気機器に無線基地局装置１′の機能を備え、各電気機器を接続するホームサーバにオペレーションセンタ４の機能を備えておけば、各電気機器に不具合が発生した場合に直ちにホームサーバに通知することができ、ホームサーバからユーザや予め登録された警察・消防・関係機関に連絡でき、異常発生に対して迅速な対応ができる効果がある。
【００４５】
【発明の効果】
本発明によれば、無線基地局が、メンテナンスツールとの無線通信を行う近距離無線通信手段を備え、定期的にデバイスの診断を行って診断結果にＩＤを付してネットワークを介してオペレーションセンタに送信すると共に、メンテナンスツールから近距離無線通信によって送信されるリセット信号を受信してリセットする無線基地局であり、オペレーションセンタが、予め各無線基地局と前記無線基地局の保守を行うメンテナンスツールとを対応付けて記憶しておき、任意の無線基地局から診断結果を受信すると、受信した診断結果をＩＤ毎に記憶し、診断結果が「異常」であった場合には、無線基地局に対応するメンテナンスツールに基地局のＩＤとリセット信号の出力指示とを送信するオペレーションセンタであり、メンテナンスツールが、近距離無線通信手段を備え、オペレーションセンタからＩＤとリセット信号の出力指示とを受信すると、ＩＤに対応する無線基地局に対して近距離無線通信を介してリセット信号を送信するメンテナンスツールである無線基地局監視システムとしているので、保守監視局からの遠隔制御が受けられない場合でも、デバイス不良を早期に発見して、迅速に対応して障害復帰を図ることができ、システムの信頼性を向上させることができる効果がある。
【００４６】
また、本発明によれば、メンテナンスツールが、表示部を備え、近距離無線通信を介してデバイスの診断を指示する自動診断要求を無線基地局に送信し、基地局から診断結果を受信すると、診断結果を記憶すると共に診断結果を表示部に表示し、診断結果が「異常」であった場合には、近距離無線通信を介して基地局にリセット信号を送信するメンテナンスツールであり、無線基地局が、メンテナンスツールから自動診断要求を受信した場合にデバイスの診断を行い、診断結果を近距離無線通信を介してメンテナンスツールに送信すると共に、メンテナンスツールから送信されたリセット信号を受信してリセットする無線基地局である無線基地局監視システムとしているので、保守監視局からの遠隔制御が受けられない場合に、保守作業員が高所に登らなくても、安全且つ容易に、短時間で無線基地局装置のメンテナンスを行って利便性を向上させることができ、また、強制的にデバイスチェックを行わせてシステムの信頼性を向上させることができる効果がある。
【図面の簡単な説明】
【図１】本発明の第１の実施の形態に係る無線基地局監視システム（第１のシステム）の構成ブロック図である。
【図２】メンテナンスツール（ＭＴ）２の構成ブロック図である。
【図３】第１のシステムの無線基地局装置１の制御部１３の動作を示すフローチャート図である。
【図４】本発明の第２の実施の形態に係る無線基地局監視システム（第２のシステム）の構成ブロック図である。
【図５】第２のシステムのＭＴ２′における無線基地局装置１′の自動診断モードの設定画面を示す説明図である。
【図６】第２の無線基地局監視システムの無線基地局装置１′における定期的な自動診断処理を示すフローチャート図である。
【図７】従来の無線基地局監視システムの構成ブロック図である。
【符号の説明】
１…無線基地局装置、　２…メンテナンスツール（ＭＴ）、　３…保守監視局、　４…オペレーションセンタ、　１１…呼処理部、　１２…有線通信制御部、１３…制御部、　１４…近距離無線通信部、　２０…制御部、　２１…近距離無線通信部、　２２…記憶部、　２３…表示部、　２４…入力部、　２５…通信部
【図１】
2004088236.tif 000003
【図２】
2004088236.tif 000004
【図３】
2004088236.tif 000005
【図４】
2004088236.tif 000006
【図５】
2004088236.tif 000007
【図６】
2004088236.tif 000008
【図７】
2004088236.tif 000009